(57)【要約】【課題】ユーザの知らない間にＩＰアドレスが変更されてアクセス不能になるのを防止できるネットワーク端末装置を提供する。【解決手段】ＤＨＣＰサーバ３１に対するＩＰアドレスの更新処理の結果、以前割り当てられていたＩＰアドレスと異なるＩＰアドレスが割り当てられた場合において、動作モードが強制初期化モードに設定されている場合には、ＩＰアドレスの重複等の例外的な問題がある場合を除いて、以前のＩＰアドレスを継続使用するようになっている一方、動作モードが初期化保留モードに設定されている場合には、ＩＰアドレスの設定変更を行わずに、所定の報知処理が行われる。また、動作モードが強制初期化モードに設定されているときであっても、以前割り当てらていたＩＰアドレスがＩＰアドレスの重複により使用できない場合には、そのＩＰアドレスの使用が停止され、所定の報知処理が行われる。【選択図】図１
2008124542.tif 000002
【特許請求の範囲】
【請求項１】
ＤＨＣＰクライアント機能を有すネットワーク端末装置であって、
ネットワークを介してＤＨＣＰサーバにアクセスし、ＩＰアドレスの更新処理を行うＩＰアドレス取得部と、
ＩＰアドレスの設定を管理するＩＰアドレス管理部と、を備え、
前記ＩＰアドレス管理部は、前記ＩＰアドレス取得部による更新処理の結果、以前割り当てられていたＩＰアドレスと同一のＩＰアドレスが継続して割り当てられたか否かにかかわらず、以前割り当てられていたＩＰアドレスを継続使用することを特徴とするネットワーク端末装置。
【請求項２】
ＤＨＣＰクライアント機能を有するネットワーク端末装置であって、
ネットワークを介してＤＨＣＰサーバにアクセスし、ＩＰアドレスの更新処理を行うＩＰアドレス取得部と、
ＩＰアドレスの設定を管理するＩＰアドレス管理部と、を備え、
前記ＩＰアドレス管理部は、前記ＩＰアドレス取得部による更新処理の結果、以前割り当てられていたＩＰアドレスと同一のＩＰアドレスが継続して割り当てられた場合には、以前割り当てられていたＩＰアドレスを継続使用し、以前割り当てられていたＩＰアドレスと異なるＩＰアドレスが割り当てられた場合には、所定の報知処理を行うことを特徴とするネットワーク端末装置。
【請求項３】
ＤＨＣＰクライアント機能を有するネットワーク端末装置であって、
ネットワークを介してＤＨＣＰサーバにアクセスし、ＩＰアドレスの更新処理を行うＩＰアドレス取得部と、
ＩＰアドレスの設定を管理するＩＰアドレス管理部と、を備え、
前記ＩＰアドレス管理部は、前記ＩＰアドレス取得部による更新処理の結果、以前割り当てられていたＰアドレスと同一のＩＰアドレスが継続して割り当てられた場合には、以前割り当てられていたＩＰアドレスを継続使用し、以前割り当てられていたＩＰアドレスと異なるＩＰアドレスが割り当てられた場合には、ネットワーク内における以前割り当てられていたＩＰアドレスの重複の有無を検査し、重複の問題がないときは以前割り当てられていたＩＰアドレスを継続使用することを特徴とするネットワーク端末装置。
【請求項４】
請求項３に記載のネットワーク端末装置において、
前記ＩＰアドレス管理部は、前記ＩＰアドレス取得部による更新処理の結果、前記ＤＨＣＰサーバにより以前割り当てられていたＩＰアドレスと異なるＩＰアドレスが割り当てられた場合において、ネットワーク内における以前割り当てられていたＩＰアドレスの重複の有無を検査し、重複の問題があるときは所定の報知処理を行うことを特徴とするネットワーク端末装置。
【発明の詳細な説明】
【技術分野】
【０００１】
本発明は、ＤＨＣＰクライアント機能を有するネットワーク端末装置に関する。
【０００２】
なお、本発明に係るネットワーク端末装置は、例えば、ネットワークと接続可能なファクシミリ複合装置等に適用される。
【背景技術】
【０００３】
ＤＨＣＰ（Dynamic Host Configuration Protocol）（RFC2131）のクライアント機能（以下、単に「ＤＨＣＰクライアント機能」という）により、ＤＨＣＰサーバより自機のＩＰアドレスを自動的に取得し、その取得したＩＰアドレスに基づき、ＬＡＮ等のネットワーク上での通信を行うネットワーク端末装置が従来より用いられている（例えば、特許文献１）。
【特許文献１】特開２００５−２１０４７２号公報
【発明の開示】
【発明が解決しようとする課題】
【０００４】
ＤＨＣＰサーバから端末装置に割り当てられるＩＰアドレスには、リース期限が設けられており、そのリース期限が満了したとき、又は再起動時（例えば、電源のオン、オフなどによる再起動時）等に、端末装置からＤＨＣＰサーバに対してＩＰアドレスの再割り当て要求等が行われるようになっている。このとき、その要求に応じてＤＨＣＰサーバから割り当てられたＩＰアドレスは、以前割り当てられていたＩＰアドレスと異なる場合がある。
【０００５】
このように端末装置のＩＰアドレスが変わってしまうと、ネットワーク上のパーソナルコンピュータ（以下、単に「ＰＣ」という）等の他の端末装置からアクセスできなくなってしまう。また、このようなＩＰアドレスの再割り当てによる変更がユーザに知らされずに自動的に行われてしまうため、不意に端末装置へのアクセスが不能となり、またトラブルの原因もわかりにくいという問題がある。
【０００６】
そこで、本発明の解決すべき課題は、ユーザの知らない間にＩＰアドレスが変更されてアクセス不能になるのを防止できるネットワーク端末装置を提供することである。
【課題を解決するための手段】
【０００７】
上記の課題を解決するため、請求項１の発明では、ＤＨＣＰクライアント機能を有するネットワーク端末装置であって、ネットワークを介してＤＨＣＰサーバにアクセスし、ＩＰアドレスの更新処理を行うＩＰアドレス取得部と、ＩＰアドレスの設定を管理するＩＰアドレス管理部とを備え、前記ＩＰアドレス管理部は、前記ＩＰアドレス取得部による更新処理の結果、以前割り当てられていたＩＰアドレスと同一のＩＰアドレスが継続して割り当てられたか否かにかかわらず、以前割り当てられていたＩＰアドレスを継続使用する。
【０００８】
また、請求項２の発明では、ＤＨＣＰクライアント機能を有するネットワーク端末装置であって、ネットワークを介してＤＨＣＰサーバにアクセスし、ＩＰアドレスの更新処理を行うＩＰアドレス取得部と、ＩＰアドレスの設定を管理するＩＰアドレス管理部とを備え、前記ＩＰアドレス管理部は、前記ＩＰアドレス取得部による更新処理の結果、以前割り当てられていたＩＰアドレスと同一のＩＰアドレスが継続して割り当てられた場合には、以前割り当てられていたＩＰアドレスを継続使用し、以前割り当てられていたＩＰアドレスと異なるＩＰアドレスが割り当てられた場合には、所定の報知処理を行う。
【０００９】
また、請求項３の発明では、ＤＨＣＰクライアント機能を有するネットワーク端末装置であって、ネットワークを介してＤＨＣＰサーバにアクセスし、ＩＰアドレスの更新処理を行うＩＰアドレス取得部と、ＩＰアドレスの設定を管理するＩＰアドレス管理部とを備え、前記ＩＰアドレス管理部は、前記ＩＰアドレス取得部による更新処理の結果、以前割り当てられていたＰアドレスと同一のＩＰアドレスが継続して割り当てられた場合には、以前割り当てられていたＩＰアドレスを継続使用し、以前割り当てられていたＩＰアドレスと異なるＩＰアドレスが割り当てられた場合には、ネットワーク内における以前割り当てられていたＩＰアドレスの重複の有無を検査し、重複の問題がないときは以前割り当てられていたＩＰアドレスを継続使用する。
【００１０】
また、請求項４の発明では、請求項３の発明に係るネットワーク端末装置において、前記ＩＰアドレス管理部は、前記ＩＰアドレス取得部による更新処理の結果、前記ＤＨＣＰサーバにより以前割り当てられていたＩＰアドレスと異なるＩＰアドレスが割り当てられた場合において、ネットワーク内における以前割り当てられていたＩＰアドレスの重複の有無を検査し、重複の問題があるときは所定の報知処理を行う。
【発明の効果】
【００１１】
請求項１に記載の発明によれば、ＤＨＣＰサーバに対するＩＰアドレスの更新処理の結果、以前割り当てられていたＩＰアドレスと同一のＩＰアドレスが継続して割り当てられた否かにかかわらず、以前割り当てられていたＩＰアドレスを継続使用するようになっているため、ユーザの知らない間にＩＰアドレスが変更されてアクセス不能になるのを防止できる。
【００１２】
請求項２に記載の発明によれば、ＤＨＣＰサーバに対するＩＰアドレスの更新処理の結果、以前割り当てられていたＩＰアドレスと同一のＩＰアドレスが継続して割り当てられた場合には、以前割り当てられていたＩＰアドレスを継続使用し、以前割り当てられていたＩＰアドレスと異なるＩＰアドレスが割り当てられた場合には、所定の報知処理を行うようになっているため、ユーザの知らない間にＩＰアドレスが変更されてアクセス不能になるのを防止できる。
【００１３】
請求項３に記載の発明によれば、ＤＨＣＰサーバに対するＩＰアドレスの更新処理の結果、以前割り当てられていたＩＰアドレスと同一のＩＰアドレスが継続して割り当てられた場合には、以前割り当てられていたＩＰアドレスを継続使用し、以前割り当てられていたＩＰアドレスと異なるＩＰアドレスが割り当てられた場合には、ネットワーク内における以前割り当てられていたＩＰアドレスの重複の有無を検査し、重複の問題がないときは以前割り当てられていたＩＰアドレスを継続使用するようになっているため、ユーザの知らない間にＩＰアドレスが変更されてアクセス不能になるのを防止できる。
【００１４】
また、ＩＰアドレスの重複の有無を検査してから、ＩＰアドレスの使用を継続する構成のため、ＩＰアドレスが重複してネットワークに混乱が生じるのを未然に防止できる。
【００１５】
請求項４に記載の発明によれば、以前割り当てられていたＩＰアドレスが他の端末装置のＩＰアドレスと重複して使用できない場合には、所定の報知処理が行われるようになっているため、問題の発生をユーザに迅速に報知することができる。
【発明を実施するための最良の形態】
【００１６】
図１は、本発明の一実施形態に係るネットワーク端末装置としてのファクシミリ複合装置１の構成を示すブロック図である。このファクシミリ複合装置１は、図１に示すように、制御部１１、読取部１２、記録部１３、表示部１４、操作部１５、通信部１６、及び記憶部１７等を備えている。また、このファクシミリ複合装置１の機能には、ファクシミリ機能、コピー機能、スキャナー機能、プリンタ機能及びインターネットファックス機能等が含まれている。
【００１７】
制御部１１は、このファクシミリ複合装置１の制御を統括するものであり、ＣＰＵ等を備えて構成されている。この制御部１１には、機能要素として、ＩＰアドレス取得部１１ａ及びＩＰアドレス管理部１１ｂが備えられている。これらの処理部１１ａ，１１ｂの役割等については後に詳述する。
【００１８】
読取部１２は、原稿の読み取りを行うものであり、ファクシミリ送信時の原稿の読み取りや、スキャナー機能使用時の原稿の読み取り等に用いられる。記録部１３は、プリンター装置等を備えて構成され、イメージデータの紙等への印刷を行う。
【００１９】
表示部１４は液晶表示装置等によって構成され、このファクシミリ複合装置１の操作情報等の表示に用いられる。操作部１５は、複数の操作ボタンやタッチパネル等により構成され、このファクシミリ複合装置１の操作に用いられる。
【００２０】
通信部１６は、このファクシミリ装置１の通信インターフェースとして役割を担うものである。この通信部１６には、ファクシミリ通信部２１及びネットワーク通信部２２等が備えられている。ファクシミリ通信部２１は、電話回線網を介したファクシミリの送受信を担っている。ネットワーク通信部２２は、ＬＡＮ（Local Area Network）及びインターネット等の通信回線としてのネットワーク１８を介したデータ通信を担っている。
【００２１】
より詳細には、ファクシミリ通信部２１には、ＮＣＵ（Network Control Unit）及びモデム等が備えられている。また、ネットワーク通信部２２は、クライアントとしてのＤＨＣＰ、ＳＭＴＰ（Simple Mail Transfer Protocol）、ＰＯＰ（Post Office Protocol）、ＳＭＢ（Server Message Block）、ＨＴＴＰ（HyperText Transfer Protocol）等を取り扱うための機能が備えられている。ネットワーク通信部２２の具体的な機能としては、電子メールの送受、電子メールにイメージデータを添付して送受するインターネットファクシミリの送受、及び、ＬＡＮ又はインターネットを介したデータの送受等が含まれている。
【００２２】
記憶部１７は、半導体メモリ、ハードディスク装置等の記憶装置を備えて構成されている。この記憶部１７の記憶内容としては、例えば、このファクシミリ複合装置１を介して送受信されたファクシミリの送受信データ、インターネットファクシミリの送受信データ、電子メールの送受信データ、スキャナー機能使用時に読み取られたイメージデータ、及びファクシミリ複合装置１を設定や保守管理等に関するデータ等が含まれている。
【００２３】
また、記憶部１７には、ＩＰアドレス等を保存するための不揮発性記憶部（例えば、不揮発性メモリ）１７ａが備えられている。
【００２４】
このように構成されるファクシミリ複合装置１は、ネットワーク（例えば、ＬＡＮ）１８を介して、ＤＨＣＰサーバ３１、及びＰＣ等の複数の外部端末装置３２と接続されている。
【００２５】
次に、制御部１１のＩＰアドレス取得部１１ａ及びＩＰアドレス管理部１１ｂの役割等について説明する。
【００２６】
ＩＰアドレス取得部１１ａは、ネットワーク通信部２２を介してＤＨＣＰサーバ３１からＩＰアドレスを自動的に取得するＤＨＣＰクライアント機能を有し、ＩＰアドレスの取得、又は更新等を行う。取得されたＩＰアドレスは、不揮発性記憶部１７ａに保存される。
【００２７】
なお、本明細書でいう「ＩＰアドレスの取得」とは、ＩＰアドレスの割り当てをまだ受けていないときに、ＤＨＣＰサーバ３１に対して割り当て要求を行ってＩＰアドレスを取得することをいう。また、「ＩＰアドレスの更新」とは、既にＩＰアドレスの割り当てを受けているときに行われるもので、ＩＰアドレスのリース期限の延長処理と、再割り当て処理とが含まれる。延長処理は、リース期限の満了時等にリース期限の延長をＤＨＣＰサーバ３１に要求する処理であり（リース期限の満了前に行われることもある）、再割り当て処理は、リース期限の満了時や、ファクシミリ複合装置１の再起動時等に、既に割り当てられているＩＰアドレスと同一のＩＰアドレスの割り当てをＤＨＣＰサーバ３１に要求する処理である。
【００２８】
なお、リース期限の延長処置の際には、ＤＨＣＰサーバ３１によってリース期限の延長が認められる場合と、延長が認められずに新たなＩＰアドレスの割り当てが行われる場合とがある。また、ＩＰアドレスの再割り当て処理の際にも、それまで割り当てられていたＩＰアドレスと同一のＩＰアドレスが再度割り当てられる場合と、割り当てられていたＩＰアドレスと異なる新たなＩＰアドレスが割り当てられる場合とがある。
【００２９】
ＩＰアドレス管理部１１ｂは、ファクシミリ複合装置１におけるＩＰアドレスの設定を管理するものであり、ＩＰアドレス取得部１１ａの前記取得処理、更新処理等によってＤＨＣＰサーバ３１から割り当てを受けたＩＰアドレスに基づく、ＩＰアドレスの設定、又は設定変更等を行う。
【００３０】
このＩＰアドレス管理部１１ｂは、ＩＰアドレス取得部１１ａによる前記ＩＰアドレスの更新処理（延長処理又は再割り当て処理）によって、以前割り当てられていたＩＰアドレスと同じＩＰアドレスの使用がＤＨＣＰサーバ３１によって許容された場合（リース期限の延長が認められた場合、又は以前と同じＩＰアドレスが再度割り当てられた場合）には、以前から割り当てられていたＩＰアドレスを継続使用することを決定する。
【００３１】
また、ＩＰアドレス１１ｂは、前記前記ＩＰアドレスの更新処理によって、以前割り当てられていたＩＰアドレスと異なるＩＰアドレスがＤＨＣＰサーバ３１によって新たに割り当てられた場合の動作モードとして、強制初期化モードと、初期化保留モードとを切り替え可能に備えている。この動作モードの切り替えは、操作部１５等を介してモード切替指令を入力することにより行われる。
【００３２】
強制初期化モードでは、新たなに割り当てられたＩＰアドレスではなく、以前割り当てられていたＩＰアドレスに基づいてＩＰアドレス等の通信設定の初期化が行われ、その後ＡＲＰ（Adress Resolution Protocol）によりネットワーク１８上でのそのＩＰアドレスの重複の有無が検査され、重複がなければそのＩＰアドレスを用いた通信処理が開始される。一方、ＩＰアドレスの重複がある場合には、ＩＰアドレスが正常に構成されていないことをユーザに報知する所定の報知処理（例えば、音及び画像の少なくともいずれか一方によるアラーム出力等）が行われる。なお、この強制初期化モードでは、ＩＰアドレスの重複検査を省略して以前の割り当てＩＰアドレスの使用を開始するようにしてもよい。
【００３３】
また、初期化保留モードでは、新たに割り当てられたＩＰアドレスがＤＨＣＰサーバ３１に返納されて、ＩＰアドレスの通信設定の初期化が保留され、ＩＰアドレスが正常に構成されていないことをユーザに報知する所定の報知処理（例えば、音及び画像の少なくともいずれか一方によるアラーム出力等）が行われる。
【００３４】
また、ＩＰアドレス管理部１１ｂは、ＩＰアドレス出力要求が操作部１５等を介して入力されると、その時点で設定されているＩＰアドレスを表示部１４等に出力（表示等）する。
【００３５】
次に、ＩＰアドレス取得部１１ａ及びＩＰアドレス管理部１１ｂの処理動作について、図２のフローチャートを参照しつつ具体的に説明する。図２に示されるように、ファクシミリ複合装置１の起動（又は再起動）に伴って、ステップＳ１にてＩＰアドレス取得部１１ａにより不揮発性記憶部１７ａに保存されているＩＰアドレスの設定に関する情報が読み出され、ステップＳ２にて、以前にＩＰアドレスの設定（取得）がされていたか否かが判断され、設定がされていない場合には、ステップＳ３にてＤＨＣＰサーバ３１からＩＰアドレスが取得され、ステップＳ５に進む。
【００３６】
一方、以前にＩＰアドレスの設定がされていた場合には、ステップＳ４にて、不揮発性記憶部１７ａから以前に設定されていたＩＰアドレスが読み出され、そのＩＰアドレスの再割り当て要求がＤＨＣＰサーバ３１に対してなされて、ステップＳ８に進む。このとき、ＤＨＣＰサーバ３１から以前と同一のＩＰアドレスが割り当てられる場合（これが通常）と、以前と異なるＩＰアドレスが割り当てられる場合とがある。
【００３７】
ステップＳ５では、ステップＳ３で取得されたＩＰアドレスがＩＰアドレス取得部１１ａにより不揮発性記憶部１７ａに保存されるとともに、そのＩＰアドレスに基づいた通信設定がＩＰアドレス管理部１１ｂによって行われ、ステップＳ６に進む。
【００３８】
ステップＳ６では、ＩＰアドレス取得部１１ａにより、割り当てられているＩＰアドレスのリース期限切れ（又はリース期限の接近等）に応じてＩＰアドレスの更新（リース期限の延長処理又は再割り当て処理）の要否が判断され、更新の必要がある場合にはステップＳ７に進む一方、更新の必要がない場合には更新のが必要になるタイミングまでステップＳ６の処理が繰り返される。
【００３９】
ステップＳ７では、ＩＰアドレス取得部１１ａによりＩＰアドレスの更新処理が行われて、ステップＳ８に進む。このとき、ＤＨＣＰサーバ３１から以前と同一のＩＰアドレスの使用が許容される場合（これが通常）と、以前と異なるＩＰアドレスが割り当てられる場合とがある。
【００４０】
ステップＳ８では、ＩＰアドレス管理部１１ｂにより、ＤＨＣＰサーバ３１から割り当てられたＩＰアドレスが以前に割り当てられていたＩＰアドレスと同一か否かが判断され、同一である場合には、必要に応じてそのＩＰアドレスに基づく通信設定が行われてステップＳ６に戻り、ステップＳ６〜Ｓ８の処理が繰り返される。一方、ＤＨＣＰサーバ３１から割り当てられたＩＰアドレスが以前に割り当てられていたＩＰアドレスと異なる場合には、ステップＳ９に進む。
【００４１】
ステップＳ９では、ＩＰアドレス管理部１１ｂにより、動作モードが強制初期化モード、初期化保留モードのいずれに設定されているかが判断され、初期化保留モードに設定されている場合には、ステップＳ１０にて、割り当てられたＩＰアドレスがＤＨＣＰサーバ３１に返納され、ステップＳ１１にて、ＩＰアドレスが正常に構成されていないことを報知するための報知処理が行われる。
【００４２】
一方、動作モードが強制初期化モードに設定されている場合には、ステップＳ１２にて、不揮発性記憶部１７ａに保存されている（以前割り当てらていた）ＩＰアドレスで通信設定の初期化が行われ、ステップＳ１３にてＡＲＰによるネットワーク１８内のＩＰアドレスの重複の有無が検査され、ステップＳ１４にて、重複の問題がない場合にはそのＩＰアドレスによる通信処理が開始される一方、重複の問題がある場合には、ステップＳ１１にて、ＩＰアドレスが正常に構成されていないことを報知するための報知処理が行われる。
【００４３】
以上のように、本実施形態によれば、ＤＨＣＰサーバ３１に対するＩＰアドレスの更新処理の結果、以前割り当てられていたＩＰアドレスと異なるＩＰアドレスが割り当てられた場合において、動作モードが強制初期化モードに設定されている場合には、ＩＰアドレスの重複等の例外的な問題がある場合を除いて、以前のＩＰアドレスを継続使用するようになっている一方、動作モードが初期化保留モードに設定されている場合には、ＩＰアドレスの設定変更を行わずに、ユーザに対する所定の報知処理が行われるようになっているため、ユーザの知らない間にＩＰアドレスが変更されてアクセス不能になるのを防止できる。
【００４４】
また、以前割り当てられていたＩＰアドレスと異なるＩＰアドレスが割り当てられた場合の動作モードとして、強制初期化モードと初期化保留モードとが切り替え可能に備えられているため、ユーザのニーズに柔軟に対応することができる。
【００４５】
また、動作モードが強制初期化モードに設定されているときであっても、以前割り当てらていたＩＰアドレスがＩＰアドレスの重複により使用できない場合には、そのＩＰアドレスの使用が停止され、所定の報知処理が行われるため、ＩＰアドレスの重複によりネットワーク１８に混乱が生じるのを未然に防止できるとともに、問題の発生をユーザに迅速に報知することができる。
【図面の簡単な説明】
【００４６】
【図１】本発明の一実施形態に係るネットワーク端末装置としてのファクシミリ複合装置の構成を示すブロック図である。
【図２】図１のファクシミリ複合装置の制御部の処理動作を示すフローチャートである。
【符号の説明】
【００４７】
１  ファクシミリ複合装置
１１  制御部
１１ａ  ＩＰアドレス取得部
１１ｂ  ＩＰアドレス管理部
１７  記憶部
１７ａ  不揮発性記憶部
３１  ＤＨＣＰサーバ
【図１】
2008124542.tif 000003
【図２】
2008124542.tif 000004
【手続補正書】
【提出日】平成18年12月19日(2006.12.19)
【手続補正１】
【補正対象書類名】特許請求の範囲
【補正対象項目名】請求項３
【補正方法】変更
【補正の内容】
【請求項３】
ＤＨＣＰクライアント機能を有するネットワーク端末装置であって、
ネットワークを介してＤＨＣＰサーバにアクセスし、ＩＰアドレスの更新処理を行うＩＰアドレス取得部と、
ＩＰアドレスの設定を管理するＩＰアドレス管理部と、を備え、
前記ＩＰアドレス管理部は、前記ＩＰアドレス取得部による更新処理の結果、以前割り当てられていたＩＰアドレスと同一のＩＰアドレスが継続して割り当てられた場合には、以前割り当てられていたＩＰアドレスを継続使用し、以前割り当てられていたＩＰアドレスと異なるＩＰアドレスが割り当てられた場合には、ネットワーク内における以前割り当てられていたＩＰアドレスの重複の有無を検査し、重複の問題がないときは以前割り当てられていたＩＰアドレスを継続使用することを特徴とするネットワーク端末装置。
【手続補正２】
【補正対象書類名】明細書
【補正対象項目名】０００９
【補正方法】変更
【補正の内容】
【０００９】
また、請求項３の発明では、ＤＨＣＰクライアント機能を有するネットワーク端末装置であって、ネットワークを介してＤＨＣＰサーバにアクセスし、ＩＰアドレスの更新処理を行うＩＰアドレス取得部と、ＩＰアドレスの設定を管理するＩＰアドレス管理部とを備え、前記ＩＰアドレス管理部は、前記ＩＰアドレス取得部による更新処理の結果、以前割り当てられていたＩＰアドレスと同一のＩＰアドレスが継続して割り当てられた場合には、以前割り当てられていたＩＰアドレスを継続使用し、以前割り当てられていたＩＰアドレスと異なるＩＰアドレスが割り当てられた場合には、ネットワーク内における以前割り当てられていたＩＰアドレスの重複の有無を検査し、重複の問題がないときは以前割り当てられていたＩＰアドレスを継続使用する。